(57)【特許請求の範囲】
【請求項１】
筐体に枢支される前扉本体と、
該前扉本体の前面に形成された装着凹部を閉塞するように配設されるデザインパネルと、
前記装着凹部内に配設されて、前記デザインパネルを背面側から照らす照明装置と
を備えるスロットマシンであって、
前記デザインパネル、前記照明装置、及び前記前扉本体は、前後方向に配置される締結部を夫々備え、該夫々の締結部で共締めされており、
さらに、
前記デザインパネルの前記締結部の背面側に開口する締結用穴部と、
前記照明装置の締結部に形成される照明側締結用貫通孔と、
前記前扉本体の締結部に形成される本体側締結用貫通孔と、
共締め前に、前記照明装置を、前記装着凹部内で、前記照明側締結用貫通孔と前記本体側締結用貫通孔が重なる位置に仮止めする照明仮固定手段と、
共締め前に、前記デザインパネルを、前記装着凹部を閉塞するとともに、前記締結用穴部が前記照明側締結用貫通孔と重なることとなる位置に位置決めするパネル位置決め手段と
を備え、
前記デザインパネル、前記照明装置及び前記前扉本体は、前記前扉本体の背面側から、前記本体側締結用貫通孔及び前記照明側締結用貫通孔に挿通されて、前記締結用穴部と螺合するネジ部材によって共締めされている
ことを特徴とするスロットマシン。
【請求項２】
前記パネル位置決め手段は、
前記デザインパネルの外周縁と、該外周縁に外側から当接する前記装着凹部の内周縁とからなる凹部側パネル位置決め手段と、
前記デザインパネルの背面側と前記照明装置の前面側とに夫々形成されて相互に嵌合する一対又は複数対のパネル−照明嵌合部からなる照明側パネル位置決め手段と
を備えることを特徴とする請求項１に記載のスロットマシン。
【請求項３】
前記凹部側パネル位置決め手段にあって、
前記デザインパネルと前記装着凹部の相互に当接する側縁は、夫々非直線状に形成されており、前記相互に当接する側縁によって、共締め前に、前記デザインパネルが前記装着凹部に対して保持されることを特徴とする請求項２に記載のスロットマシン。
【請求項４】
前記パネル位置決め手段は、
前記デザインパネルの背面側と前記照明装置の前面側とに夫々形成されて相互に嵌合する一対又は複数対のパネル−照明嵌合部からなる照明側パネル位置決め手段を備え、
前記パネル−照明嵌合部は、前記照明装置及び前記デザインパネルの、前記締結部に夫々形成されていることを特徴とする請求項１乃至請求項３のいずれか１項に記載のスロットマシン。
【請求項５】
前記デザインパネルは、背面側へ突出し、共締め用のネジ部材が螺合する締結用穴部が先端に形成されたボス部を備えるとともに、前記照明装置は、前記ボス部を内嵌させ、前記ネジ部材を挿通する照明側締結用貫通孔が底部に形成されたボス嵌合穴を前面に備え、
前記ボス部及び前記ボス嵌合穴は、前記デザインパネル及び前記照明装置の前記締結部を構成するとともに、前記パネル−照明嵌合部を構成するものであることを特徴とする請求項４に記載のスロットマシン。
【請求項６】
筐体に枢支される前扉本体と、
該前扉本体の前面に形成された装着凹部を閉塞するように配設されるデザインパネルと、
前記装着凹部内に配設されて、前記デザインパネルを背面側から照らす照明装置と
を備えるスロットマシンであって、
前記デザインパネル、前記照明装置、及び前記前扉本体は、前後方向に配置される締結部を夫々備え、該夫々の締結部で共締めされており、
さらに、共締め前に、前記照明装置を前記装着凹部内に仮止めする照明仮固定手段と、
共締め前に、前記デザインパネルを、前記装着凹部を閉塞する位置に位置決めするパネル位置決め手段と
を備え、
前記パネル位置決め手段は、
前記デザインパネルの背面側と前記照明装置の前面側とに夫々形成されて相互に嵌合する一対又は複数対のパネル−照明嵌合部からなる照明側パネル位置決め手段を備え、
前記パネル−照明嵌合部は、前記照明装置及び前記デザインパネルの、前記締結部に夫々形成されており、
前記デザインパネルは、背面側へ突出し、共締め用のネジ部材が螺合する締結用穴部が先端に形成されたボス部を備えるとともに、前記照明装置は、前記ボス部を内嵌させ、前記ネジ部材を挿通する照明側締結用貫通孔が底部に形成されたボス嵌合穴を前面に備え、
前記ボス部及び前記ボス嵌合穴は、前記デザインパネル及び前記照明装置の前記締結部を構成するとともに、前記パネル−照明嵌合部を構成するものであり、
前記照明側パネル位置決め手段は、
共締め前に、前記パネル−照明嵌合部が密嵌することによって、前記デザインパネルを、前記装着凹部を閉塞する位置に位置決めするとともに、当該位置に保持するものであることを特徴とするスロットマシン。
【請求項７】
筐体に枢支される前扉本体と、
該前扉本体の前面に形成された装着凹部を閉塞するように配設されるデザインパネルと、
前記装着凹部内に配設されて、前記デザインパネルを背面側から照らす照明装置と
を備えるスロットマシンであって、
前記デザインパネル、前記照明装置、及び前記前扉本体は、前後方向に配置される締結部を夫々備え、該夫々の締結部で共締めされており、
さらに、共締め前に、前記照明装置を前記装着凹部内に仮止めする照明仮固定手段と、
共締め前に、前記デザインパネルを、前記装着凹部を閉塞する位置に位置決めするパネル位置決め手段と
を備え、
共締め前に、前記照明装置を前記装着凹部内に位置決めする照明位置決め手段を備え、
該照明位置決め手段は、前記照明装置の背面側と、前記前扉本体の前面側とに形成されて相互に嵌合する一対又は複数対の凹部−照明嵌合部であることを特徴とするスロットマシン。
【請求項８】
前記凹部−照明嵌合部は、前記装着凹部及び前記照明装置の、前記締結部に夫々形成されていることを特徴とする請求項７に記載のスロットマシン。
【請求項９】
前記照明装置は、光源と、前記光源の照射光によって略均一に面発光する発光板とを備え、
前記デザインパネルは、所定意匠が形成され、前記装着凹部の前面側開口部を閉塞するように配置されるデザイン部を備え、
前記発光板は、前記デザイン部の略全域と前後に重なるように、正面視において前記装着凹部の略全域に亘って配設されており、
前記照明装置の前記締結部が、前記発光板の外周部近傍に形成されるとともに、前記デザインパネルの前記締結部が、前記デザイン部の外周部近傍に形成されることを特徴とする請求項１乃至請求項８のいずれか１項に記載のスロットマシン。
【発明の詳細な説明】
【技術分野】
【０００１】
本発明は、前扉の前面にデザインパネルが配設されたスロットマシンに関する。
【背景技術】
【０００２】
従来のスロットマシンには、前扉の前面にデザインパネルが配設されている。デザインパネルは、機種名のロゴやキャラクタ等の意匠が形成された光透過性の板体であり、前扉本体の前面に形成された装着凹部を覆うように配設され、装着凹部の内部に配設された照明装置によって背面側から照らされることによって、明るく視認されるよう構成されている（例えば、特許文献１）。
【先行技術文献】
【特許文献】
【０００３】
【特許文献１】特開２００８−２３７５１３号公報
【発明の概要】
【発明が解決しようとする課題】
【０００４】
ところで、上記特許文献１に記載のスロットマシンでは、デザインパネルと照明装置は、前扉本体に別個にネジ止めされている。このため、上記スロットマシンの製造工程では、まず、照明装置を装着凹部内に装着してネジ止めし、しかる後に、デザインパネルを装着凹部に装着してネジ止めしなくてはならなかった。
【０００５】
本発明は、かかる現状に鑑みてなされたものであり、デザインパネルと照明装置の取付構造が簡素なスロットマシンの提供を目的とする。
【課題を解決するための手段】
【０００６】
本発明は、筐体に枢支される前扉本体と、該前扉本体の前面に形成された装着凹部を閉塞するように配設されるデザインパネルと、前記装着凹部内に配設されて、前記デザインパネルを背面側から照らす照明装置とを備えるスロットマシンであって、前記デザインパネル、前記照明装置、及び前記前扉本体は、前後方向に配置される締結部を夫々備え、該夫々の締結部で共締めされており、さらに、共締め前に、前記照明装置を前記装着凹部内に仮止めする照明仮固定手段と、共締め前に、前記デザインパネルを、前記装着凹部を閉塞する位置に位置決めするパネル位置決め手段とを備えることを特徴とするスロットマシンである。
【０００７】
本発明にあっては、例えば、照明装置を装着凹部に装着して照明仮固定手段によって仮止めした後に、デザインパネルを装着凹部に装着し、しかる後に、照明装置とデザインパネルと前扉本体とを共締めすることによって、照明装置及びデザインパネルを装着凹部に固定できる。ここで、本発明に係る「照明仮固定手段」とは、ネジ止めによるものでなく、係合や嵌合等によって対象物を保持するものであり、照明装置の「仮止め」は、照明装置を装着してからデザインパネルを装着して共締めするまでの間に、前扉が開閉したり振動しても、照明装置が装着位置からずれないように留める程度で足りる。また、「位置決め手段」とは、対象物を所定位置に装着する際に、当該位置へ装着するガイドとなるものを意味する。また、本発明に係る「装着凹部」は、全体として凹んだ形状であればよい。「装着凹部」は、不正器具の侵入を防止するために、背面側に開口させないことが好ましいが、照明装置の配線等を背面側に通す開口部を形成する場合には、照明装置で隠れる位置に当該開口部を形成して、不正器具の侵入を防止することが好ましい。
【０００８】
したがって、本発明によれば、デザインパネル及び照明装置を前扉本体に取り付けるのに要するネジの本数を削減でき、これにより、スロットマシンの部品点数削減や、ネジ止め作業回数の低減が可能となる。また、本発明では、照明仮固定手段とパネル位置決め手段を備えることにより、共締めする前に、照明装置を装着凹部内に仮止めし、デザインパネルを位置決めすることができるため、共締めを容易に行うことができるという利点がある。
【０００９】
本発明にあって、前記パネル位置決め手段は、前記デザインパネルの外周縁と、該外周縁と当接する前記装着凹部の内周縁とからなる凹部側パネル位置決め手段と、前記デザインパネルの背面側と前記照明装置の前面側とに夫々形成されて相互に嵌合する一対又は複数対のパネル−照明嵌合部からなる照明側パネル位置決め手段とを備えることが提案される。ここで、パネル−照明嵌合部は、相互に密嵌するものに限らず、遊嵌するものも含む。また、凹部側パネル位置決め手段は、デザインパネルの外周縁と装着凹部の内周縁の全周で構成されるものに限らず、外周縁と内周縁の一部（例えば、側縁部分）によって構成されていてもかまわない。
【００１０】
かかる構成にあっては、装着凹部との間に設けられた凹部側パネル位置決め手段と、照明装置との間に設けられた照明側パネル位置決め手段の双方によってデザインパネルを位置決めできるため、デザインパネルの位置決め精度を向上できる。特に、デザインパネルの装着時に、パネル−照明嵌合部がパネル装着側（前面側）から視認し難いのに対し、デザインパネルの外周縁と装着凹部の内周縁は、デザインパネル装着側から容易に視認できるため、かかる構成では、照明側パネル位置決め手段だけの構成に比べて、デザインパネルの位置決めを容易に行うことができる。
【００１１】
また、前記凹部側パネル位置決め手段にあって、前記デザインパネルと前記装着凹部の相互に当接する側縁は、夫々非直線状に形成されており、前記相互に当接する側縁によって、共締め前に、前記デザインパネルが前記装着凹部に対して保持される構成が提案される。
【００１２】
すなわち、かかる構成は、凹部側パネル位置決め手段を構成するデザインパネルの外周縁と装着凹部の内周縁のうち、少なくとも左右一方の、相互に当接する側縁を夫々非直線形状とすることによって該側縁に凹凸形状を形成し、かかる凹凸形状を当接させることによって、デザインパネルを装着凹部に保持するようにする。かかる構成によれば、装着凹部に装着したデザインパネルを共締めするまで保持できるため、デザインパネルと照明装置の共締め作業を一層容易に行うことができる。特に、本構成では、装着凹部にデザインパネルを装着する際に、デザインパネル及び装着凹部の側縁を目視確認できるため、側縁同士を容易に嵌合させることができる。また、非直線形状としたデザインパネルの側縁形状は、デザインパネルの意匠としても機能するため、かかる構成によれば、デザインパネルの取付作業の簡易化と意匠性の向上とを同時に実現可能となる。なお、本発明に係るデザインパネルの「保持」は、手で押さえていなくてもデザインパネルが装着凹部から外れないよう留める程度で足り、照明装置の「仮止め」よりも弱いもので構わない。これは、照明装置は、デザインパネルを装着すると、デザインパネルの背面側に隠れて触れなくなり、位置がずれた時に直す手間が大きいのに対し、デザインパネルは共締めするまで触れることができ、位置が多少ずれても簡単に直せるためである。
【００１３】
また、本発明にあって、前記デザインパネルの前記締結部の背面側に開口する締結用穴部と、前記照明装置の締結部に形成される照明側締結用貫通孔と、前記前扉本体の締結部に形成される本体側締結用貫通孔とを備え、前記照明仮固定手段は、共締め前に、前記照明装置を、前記装着凹部内で、前記照明側締結用貫通孔と前記本体側締結用貫通孔が重なる位置に仮止めし、前記パネル位置決め手段は、共締め前に、前記デザインパネルを、前記装着凹部を閉塞するとともに、前記締結用穴部が前記照明側締結用貫通孔と重なることとなる位置に位置決めするものであり、前記デザインパネル、前記照明装置及び前記前扉本体は、前記前扉本体の背面側から、前記本体側締結用貫通孔及び前記照明側締結用貫通孔に挿通されて、前記締結用穴部と螺合するネジ部材によって共締めされている構成が提案される。
【００１４】
かかる構成にあっては、ネジ部材の頭部が前扉の背面側に露出するため、前扉を閉じた状態ではデザインパネルを取り外すことができず、遊技店の営業中に遊技者がデザインパネルを取り外して持ち帰ってしまうといったトラブルが生じない。また、かかる構成では、ネジ止め作業自体は、比較的作業性の悪い前扉背面側で行う必要があるが、デザインパネルや照明装置は、比較的作業性のよい前扉前面側から装着できるから、ネジ止め作業が煩雑となることがない。
【００１５】
また、本発明にあって、前記パネル位置決め手段は、前記デザインパネルの背面側と前記照明装置の前面側とに夫々形成されて相互に嵌合する一対又は複数対のパネル−照明嵌合部からなる照明側パネル位置決め手段を備え、前記パネル−照明嵌合部は、前記照明装置及び前記デザインパネルの、前記締結部に夫々形成されている構成が提案される。
【００１６】
デザインパネルを装着する際には、締結部がデザインパネルの背面側に隠れてしまうため、締結部同士を目視しながら位置合わせすることができないが、かかる構成にあっては、デザインパネルと照明装置の締結部にパネル−照明嵌合部が形成されているため、夫々の締結部の位置合わせを正確に行うことができる。
【００１７】
また、上記構成にあって、前記デザインパネルは、背面側へ突出し、共締め用のネジ部材が螺合する締結用穴部が先端に形成されたボス部を備えるとともに、前記照明装置は、前記ボス部を内嵌させ、前記ネジ部材を挿通する照明側締結用貫通孔が底部に形成されたボス嵌合穴を前面に備え、前記ボス部及び前記ボス嵌合穴は、前記デザインパネル及び前記照明装置の前記締結部を構成するとともに、前記パネル−照明嵌合部を構成するものである構成が提案される。
【００１８】
かかる構成によれば、背面側に突出するボス部をデザインパネルの締結部とすることで、共締めに用いるネジ部材の長さを抑えることができ、これにより、共締めの作業性を向上させることができる。また、かかるボス部をパネル位置決め手段として利用することで、デザインパネルに独立した位置決め手段が不要となり、デザインパネルの構成を簡素化できるという利点もある。
【００１９】
また、上記構成にあって、前記照明側パネル位置決め手段は、共締め前に、前記パネル−照明嵌合部が密嵌することによって、前記デザインパネルを、前記装着凹部を閉塞する位置に位置決めするとともに、当該位置に保持するものである構成が提案される。
【００２０】
かかる構成にあっては、装着凹部に仮止めされた照明装置にデザインパネルを保持することで、前記デザインパネル及び前記照明装置を、共締めするまで装着凹部に保持することができ、これにより、共締め作業を一層容易に行うことが可能となる。また、かかる構成では、照明側パネル位置決め手段によってデザインパネルの保持を行うことで、デザインパネルを保持する独立した保持手段が不要となる。
【００２１】
また、本発明にあって、共締め前に、前記照明装置を前記装着凹部内に位置決めする照明位置決め手段を備え、該照明位置決め手段は、前記照明装置の背面側と、前記前扉本体の前面側とに形成されて相互に嵌合する一対又は複数対の凹部−照明嵌合部である構成が提案される。
【００２２】
かかる構成によれば、照明装置を装着凹部内に迅速かつ正確に取り付けることが可能となる。
【００２３】
また、上記構成にあって、前記凹部−照明嵌合部は、前記装着凹部及び前記照明装置の、前記締結部に夫々形成されている構成が提案される。
【００２４】
かかる構成にあっては、装着凹部と照明装置の締結部において、凹部−照明嵌合部が嵌合することで、装着凹部と照明装置の締結部の位置を正確に合わせることができ、これにより、締結部における共締めを一層容易に行うことが可能となる。
【００２５】
また、本発明にあって、前記照明装置は、光源と、前記光源の照射光によって略均一に面発光する発光板とを備え、前記デザインパネルは、所定意匠が形成され、前記装着凹部の前面側開口部を閉塞するように配置されるデザイン部を備え、前記発光板は、前記デザイン部の略全域と前後に重なるように、正面視において前記装着凹部の略全域に亘って配設されており、前記照明装置の前記締結部が、前記発光板の外周部近傍に形成されるとともに、前記デザインパネルの前記締結部が、前記デザイン部の外周部近傍に形成される構成が提案される。
【００２６】
かかる構成にあっては、照明装置は、デザイン部の背面側全域から略均一に光を照射する。ここで、デザインパネル及び照明装置の締結部は、発光板とデザイン部の外周部近傍に設けられているため、発光板の照射光は、締結部で遮られることなくデザイン部に到達し、デザイン部に形成された意匠を斑なく、均一に照らし出すことができ、これにより、デザインパネルの意匠性を向上させることが可能となる。
【発明の効果】
【００２７】
以上に述べたように、本発明によれば、デザインパネルと照明装置の取付構造を簡素化して部品点数を削減することができ、また、デザインパネルと照明装置の前扉本体への取付作業も容易なものとなる。
【図面の簡単な説明】
【００２８】
【図１】前扉３を開放したスロットマシン１の斜視図である。
【図２】前扉３の前面側の斜視図である。
【図３】前扉本体６の前面側の斜視図である。
【図４】前扉本体６の背面側の斜視図である。
【図５】前扉本体６、照明装置１３及びデザインパネル１４の分解斜視図である。
【図６】締結部２４，３８，５６の縦断面を組み合わせた端面図である。
【図７】前扉本体６の前面下部の拡大斜視図である。
【図８】装着凹部１２の締結部２４の縦断面を組み合わせた端面図である。
【図９】照明装置１３の装着状態における前扉本体６の下部拡大斜視図である。
【図１０】照明装置１３の前面側の斜視図である。
【図１１】照明装置１３の背面側の斜視図である。
【図１２】照明装置１３の分解斜視図である。
【図１３】照明装置１３の装着状態における締結部２４，３８の縦断面を組み合わせた端面図である。
【図１４】前扉本体６及びデザインパネル１４の分解斜視図である。
【図１５】デザインパネル１４の前面側の斜視図である。
【図１６】デザインパネル１４の背面側の斜視図である。
【図１７】デザインパネル１４の装着状態における締結部２４，３８，５６の縦断面を組み合わせた端面図である。
【図１８】デザインパネル１４の分解斜視図である。
【図１９】デザインパネル１４を縦断して示す斜視図である。
【図２０】パネルカバー７０を分離して示す前扉３の下部拡大斜視図である。
【図２１】パネルカバー７０の前面側斜視図（ａ）と、背面側斜視図（ｂ）である。
【図２２】デザインパネル１４とパネルカバー７０の位置関係を示す斜視図である。
【図２３】デザインパネル１４、受皿部材１５及びパネルカバー７０の位置関係を示す斜視図である。
【図２４】（ａ）実施例および（ｂ）変形例の締結部２４，３８，５６を拡大して示す縦断面図である。
【発明を実施するための形態】
【００２９】
本発明の実施形態を、以下の実施例に従って説明する。
なお、下記実施例にあって、本発明に係る照明位置決め手段（凹部−照明嵌合部）は、装着凹部１２の位置決め用凸部２５と、照明装置１３の位置決め用凹部４２とによって構成される。また、本発明に係る照明仮固定手段は、装着凹部１２の係合孔２７と、照明装置１３の係合爪４４とによって構成される。また、本発明に係る凹部側パネル位置決め手段は、デザインパネル１４の側板５２ａと、装着凹部１２の前側壁部２３ｂによって構成される。また、本発明に係る照明側パネル位置決め手段（パネル−照明嵌合部）は、デザインパネル１４のボス部５６と、照明装置１３のボス嵌合穴４３とによって構成される。
【００３０】
図１は、本発明を適用したスロットマシンである。図１に示すように、リール４等を収容したスロットマシン１の筐体２は前方に開放しており、ヒンジ部材５，５によって枢支された前扉３によって前方から覆われている。
【００３１】
前扉３は、図２〜４に示すように、主体となる前扉本体６の表裏に各種部材を配設してなるものである。詳述すると、前扉本体６は、矩形板状をなす枠体であり、その左側部を筐体２に枢支される。前扉本体６の上部から中央部には、矩形の開口部７が設けられており、該開口部７を閉塞するように、上部パネルユニット８が取り付けられている。この上部パネルユニット８は、演出ランプやスピーカ等を組み付けて一体化してなるものであり、その下部中央には、リール４を視認可能とする視認窓１０が配設される。また、図２に示すように、前扉本体６の前面には、上部パネルユニット８の直下に、各種の操作スイッチを具備する操作部１１が配設される。そして、前扉本体６の前面にあって、操作部１１の直下には、本発明に係るデザインパネル１４が配設され、該デザインパネル１４の直下には、メダルを受け入れる受皿部材１５が配設される。また、デザインパネル１４の両側には、演出用ランプ１７，１７が配設される。一方、前扉本体６の背面下部には、図１に示すように、メダルセレクタ１８やスピーカ１９が配設される。
【００３２】
図５に示すように、前扉本体６の前面下部には、正面視横長矩形状の装着凹部１２が形成されており、前記デザインパネル１４は、該装着凹部１２を前方から閉塞するように装着される。そして、装着凹部１２の内部には、デザインパネル１４を背面側から照らす照明装置１３が配設される。装着凹部１２、照明装置１３及びデザインパネル１４の四隅には、前後方向に重なる締結部２４，３８，５６が夫々設けられており、装着凹部１２に装着した照明装置１３及びデザインパネル１４は、図６に示すように、夫々の締結部２４，３８，５６をネジ部材９０で共締めすることによって前扉本体６に固定される。
【００３３】
装着凹部１２は、図７，８に示すように、正面視横長矩形状をなし、前方に開放する浅底の凹部であり、凹部の底部を形成する背面側の底壁部２１と、底壁部２１の四辺から前方に延出して凹部の内周縁を形成する内周壁部２２とによって構成される。共締め用の前記締結部２４は装着凹部１２の四隅に形成される。締結部２４には、底壁部２１の前方に突出する位置決め用凸部２５が形成され、各位置決め用凸部２５に、共締め用のネジ部材９０が貫通する本体側締結用貫通孔２６が形成されている。また、底壁部２１の両側縁には、照明装置１３を前扉本体６に係止して装着凹部１２に仮止めするための係合孔２７が夫々形成される。また、底壁部２１の左側部には、照明装置１３の配線を背面側に通す配線用開口部２８が配設される。また、底壁部２１の右上部には、前面側に膨出して、背面側にメダルの流路を形成する膨隆部２０が配設される。
【００３４】
装着凹部１２の内周縁を形成する内周壁部２２のうち、左右両側を形成する側壁部２３は、図７に示すように、底壁部２１寄りに位置する後側壁部２３ａと、該後側壁部２３ａの前方に位置し、後側壁部２３ａよりも外側に配設される前側壁部２３ｂとで構成される。このうち、前側壁部２３ｂは、デザインパネル１４の装着時にデザインパネル１４の外周縁に外側から当接することにより、デザインパネル１４を装着凹部１２に対して位置決めする機能を有する。また、後側壁部２３ａ及び前側壁部２３ｂは、その上部が外側に大きく湾曲した非直線形状をなし、装着凹部１２の上部両側隅に、外側に切り込んだ嵌入部２９を形成している。この嵌入部２９は、図２に示すように、デザインパネル１４の上部両側隅に形成された突出部５４と嵌合することにより、共締めするまでデザインパネル１４を装着凹部１２に保持する機能を有する。また、後側壁部２３ａと前側壁部２３ｂの境界部分には、後述するデザインパネル１４のつまみ片６８を挿入するつまみ片挿入穴３０が形成される。
【００３５】
照明装置１３は、図５，９に示すように、横長矩形板状をなしており、正面視において、装着凹部１２の底壁部２１の全体を覆うように装着凹部１２の内部に装着される。この照明装置１３は、図１０〜１２に示すように、照明装置１３の主体を構成する横長矩形板状のベース部材３１と、該ベース部材３１の前面側を覆う発光板３２とを備えている。
【００３６】
ベース部材３１は、図１０〜１２に示すように、前面側が凹んだ板状の白色樹脂成形品である。このベース部材３１の背面側には、ＬＥＤ基板３３が装着される。ＬＥＤ基板３３は、照明装置１３の光源を構成する４個のＬＥＤ３４を前面側に横並びに実装してなるものであり、背面側に設けられたコネクタ３７を介して筐体２内部の制御基板（図示省略）と接続される。ＬＥＤ基板３３上のＬＥＤ３４は、ベース部材３１に形成されたＬＥＤ用開口部３５を介してベース部材３１の前面側に露出しており、各ＬＥＤ３４の照射光はベース部材３１の前方に放出される。ここで、ベース部材３１の前面全体は、浅く凹んだ白色の反射凹部３６を形成しており、該反射凹部３６で反射したＬＥＤ３４の照射光も、ベース部材３１の前方に照射されるよう構成される。すなわち、ベース部材３１は、ＬＥＤ３４の照射光を前方に反射するリフレクタとしての機能を有している。なお、反射凹部３６は、光を反射し易い白色であるだけでなく、照射光の反射率を高めるために、鏡面処理した金型を用いて鏡面状に成形されている。また、ベース部材３１の上部両側には、前面側に膨出して背面側に凹部を形成する膨出部４０，４０が１つずつ形成される。右側の膨出部４０は、背面側に位置する装着凹部１２の膨隆部２０と干渉しないよう形成されたものである。一方、左側の膨出部４０は、右側の膨出部４０の膨らみによって、ベース部材３１のリフレクタとしての機能が左右で不均一とならないようにするために、右側の膨出部４０と左右対称位置に形成されたものである。
【００３７】
発光板３２は、図１０〜１２に示すように、二片の矩形樹脂板によって構成され、ベース部材３１の反射凹部３６を完全に閉塞するようにベース部材３１の前面側に配設される。この発光板３２は、光を透過しない樹脂材で構成されたものであり、ＬＥＤ３４の照射光は、樹脂材部分でなく、発光板３２に貫設された多数の光透過孔３９を介して前方に透過するよう構成されている。光透過孔３９は、発光板３９の全域にわたって等間隔に配設されており、また、各光透過孔３９のサイズは、ＬＥＤ３４の正面部分で最も小さく形成され、ＬＥＤ３４からの距離が遠くなるほど大きく形成される。このようにＬＥＤ３４からの距離に応じて光透過孔３９のサイズを変更することにより、各光透過孔３９を透過するＬＥＤ３４の照射光の光量が均一となるよう調整し、ＬＥＤ３４の点灯時に発光板３２の前面全体が均一に面発光して見えるようにしている。
【００３８】
また、図１２に示すように、ベース部材３１には、反射凹部３６の下縁前側部分には、発光板３２で覆われない、透光溝４５が形成される。この透光溝４５は、幅方向に延びる切欠状をなしており、該透光溝４５を介してＬＥＤ３４の照射光が下方に照射されるよう構成されている。また、図６に示すように、装着凹部１２の内周壁部２２の下側部分は、他の部分に比べて前方への突出幅が小さくなっており、照明装置１３の下方は、光を透過するデザインパネル１４の下部によって覆われている。かかる構成によれば、透光溝４５から照明装置１３の下方に照射されるＬＥＤ３４の照射光が、デザインパネル１４を透過して直下の受皿部材１５を照らすこととなるから、照明装置１３を、受皿部材１５を照らす照明として兼用することができる。
【００３９】
照明装置１３の前記締結部３８は、図１０〜１２に示すように、ベース部材３１の四隅に形成される。各締結部３８には、共締め用のネジ部材９０が貫通する照明側締結用貫通孔４１が形成される。照明装置１３は、図１３に示すように、装着凹部１２への装着時に、照明側締結用貫通孔４１が、本体側締結用貫通孔２６と前後に重なるよう装着される。また、各締結部３８の背面側には、位置決め用凹部４２が形成される。装着凹部１２に照明装置１３を装着する際に、この位置決め用凹部４２を、装着凹部１２の位置決め用凸部２５と嵌合させることで、照明装置１３を共締めする位置、すなわち、照明側締結用貫通孔４１と本体側締結用貫通孔２６とが前後に重なる位置に位置決めすることができる。すなわち、本実施例にあって、本発明に係る照明位置決め手段（凹部−照明嵌合部）は、装着凹部１２の位置決め用凸部２５と、照明装置１３の位置決め用凹部４２とによって構成される。また、図１０に示すように、照明装置１３の各締結部３８の前面側には、デザインパネル１４の締結部５６と嵌合するボス嵌合穴４３が形成される。照明側締結用貫通孔４１は、このボス嵌合穴４３の底部に形成されている。
【００４０】
さらに、ベース部材３１の両側縁には、図１０〜１２に示すように、背面側に突出する係合爪４４が設けられる。この係合爪４４は、照明装置１３を装着凹部１２に装着した状態で、装着凹部１２の係合孔２７と係合し、照明装置１３が動かないように装着凹部１２に仮止めする。すなわち、本実施例にあって、本発明に係る照明仮固定手段は、装着凹部１２の係合孔２７と、照明装置１３の係合爪４４とによって構成される。
【００４１】
デザインパネル１４は、図１４〜１６に示すように、前方に膨らんだ略横長矩形状のパネルであり、所定意匠が形成され、デザインパネル１４の前面側を構成するデザイン部５１と、該デザイン部５１の外周部から背面側に延出し、デザインパネル１４の外周縁を構成する外枠部５２とで構成される。
【００４２】
デザインパネル１４は、正面視において装着凹部１２と略同形状をなしており、図２，１４に示すように、デザインパネル１４を装着凹部１２に装着した状態にあって、装着凹部１２の前面側開口部は、デザイン部５１によって閉塞される。また、かかる装着状態では、デザインパネル１４の左右両側縁を形成する側板５２ａ，５２ａが、装着凹部１２の左右両側縁を形成する前側壁部２３ｂに内側から当接する。デザインパネル１４を装着凹部１２に装着する際には、この側板５２ａを前側壁部２３ｂに当接させることにより、デザインパネル１４を共締めする位置に位置決めすることができる。すなわち、本実施例にあって、本発明に係る凹部側パネル位置決め手段は、デザインパネル１４の側板５２ａと、装着凹部１２の前側壁部２３ｂによって構成される。また、側板５２ａ，５２ａは、その上部が外側に大きく湾曲した非直線形状をなし、デザインパネル１４の上部両側隅に、外側に突出する突出部５４，５４を形成している。この突出部５４，５４は、デザインパネル１４の意匠を形成するものであり、また、デザインパネル１４の装着状態にあっては、装着凹部１２の嵌入部２９と嵌合することにより、デザインパネル１４を装着凹部１２に対して保持する保持手段としても機能する。
【００４３】
デザインパネル１４の前記締結部５６は、図１４〜１６に示すように、デザイン部５１の四隅に形成されて背面側に突出するボス部によって構成される。各ボス部５６の先端には、共締め用のネジ部材９０を螺着する締結用穴部５７が開口している。デザインパネル１４は、図１７に示すように、装着凹部１２への装着時に、各締結用穴部５７が、照明側締結用貫通孔４１の前方に重なるよう装着される。ここで、デザインパネル１４の装着状態にあって、各ボス部５６の先端は、照明装置１３のボス嵌合穴４３に内嵌するよう構成されており、デザインパネル１４を装着する際には、各ボス部５６を対応するボス嵌合穴４３に内嵌させることで、デザインパネル１４を共締めする位置、すなわち、締結用穴部５７が照明側締結用貫通孔４１の前方に重なる位置に位置決めできる。すなわち、本実施例にあって、本発明に係る照明側パネル位置決め手段（パネル−照明嵌合部）は、デザインパネル１４のボス部５６と、照明装置１３のボス嵌合穴４３とによって構成される。
【００４４】
また、デザインパネル１４の下縁中央部には、下方に延出する押さえ片５８が形成される。この押さえ片５８は、後述するパネルカバー７０によってデザインパネル１４を前扉本体６に押さえつけるためのものである。
【００４５】
デザインパネル１４は、図１８，１９に示すように、デザインシート５９と、該デザインシート５９の前面を保護するカバー体６０と、該デザインシート５９の背面を保護するベース体６１とを組み付けてなる三層構造をなしている。デザインシート５９は、透光性の樹脂シートであり、その表面には、デザイン部５１の意匠を構成する機種名やキャラクタ等が形成（印刷）されている。カバー体６０とベース体６１は、略同形状の透明樹脂部材であり、ベース体６１が、カバー体６０の背面側に重なり合うように嵌合することで、カバー体６０とベース体６１との間にデザインシート５９を挟持し、デザインシート５９の表裏を保護している。
【００４６】
カバー体６０とベース体６１について詳述すると、図１８に示すように、カバー体６０は、デザイン部５１を形成する正面板部６２ａと、外枠部５２を形成する外周板部６３ａとを備え、外周板部６３ａには、上部に係止孔６４が形成され、左右両側部には係止凹部６５が形成される。一方、ベース体６１も、デザイン部５１を形成する正面板部６２ｂと、外枠部５２を形成する外周板部６３ｂとを備え、その外周板部６３ｂには、前記係止孔６４と係合する係止突片６６と、前記係止凹部６５と係合する係止爪６７が形成される。カバー体６０とベース体６１は、係止孔６４と係止突片６６を係合させるとともに、係止凹部６５と係止爪６７を係合させることで一体的に組み付けられる。ここで、係止爪６７には、つまみ片６８が後方に延成されており、つまみ片６８を内方に操作することにより、係止凹部６５と係止爪６７の係合を解除し、カバー体６０とベース体６１を分離させ得るよう構成されている。ここで、本実施例では、図１４，１６に示すように、つまみ片６８を外周板部６３ａの内側に形成することで、デザインパネル１４と装着凹部１２の隙間に薄い工具を入れたとしても、つまみ片６８に到達し難いようにするとともに、デザインパネル１４の装着状態で、つまみ片３０を装着凹部１２のつまみ片挿入穴３０に内嵌して内方へ操作不能とすることで、前扉３の前面側からカバー体６０とベース体６１を分離できないようにしている。
【００４７】
以下に、前扉本体６と、照明装置１３と、デザインパネル１４を共締めする際の作業手順について説明する。
【００４８】
上述のように、装着凹部１２、照明装置１３、及びデザインパネル１４には、締結部２４，３８，５６が４つずつ設けられており、装着凹部１２、照明装置１３、及びデザインパネル１４を共締めする際には、これらの締結部２４，３８，５６が前後に重なり合うように、照明装置１３とデザインパネル１４を装着凹部１２に装着し、かかる装着状態で、前扉本体６の裏側からネジ部材９０で締結部２４，３８，５６を締結する。
【００４９】
詳述すると、まず、照明装置１３とデザインパネル１４を装着する前に、前扉本体６を筐体２に枢支し、その後、前扉本体６の装着凹部１２に、照明装置１３、デザインパネル１４の順番で装着する。照明装置１３を装着する際には、図１３に示すように、装着凹部１２の位置決め用凸部２５と照明装置１３の位置決め用凹部４２とを嵌合させることにより、照明装置１３を共締めする位置に容易に位置決めできる。また、照明装置１３を当該位置に装着すると、照明装置１３の係合爪４４が、装着凹部１２の係合孔２７と係合することとなり、これにより、照明装置１３を共締めするまで当該位置に仮止めすることができる。
【００５０】
また、デザインパネル１４を装着する際には、図１４，１７に示すように、デザインパネル１４の側板５２ａを、装着凹部１２の前側壁部２３ｂの内側面に当接させ、また、デザインパネル１４のボス部（締結部）５６を、装着凹部１２のボス嵌合穴４３に内嵌させることで、デザインパネル１４を共締めする位置に容易に位置決めできる。また、デザインパネル１４を当該位置に装着すると、デザインパネル１４の突出部５４と、装着凹部１２の嵌入部２９が嵌合することとなり、これにより、デザインパネル１４を共締めするまで当該位置に保持しておくことができる。
【００５１】
そして、照明装置１３とデザインパネル１４を装着した後は、図６に示すように、前扉本体６の背面側から装着凹部１２の各本体側締結用貫通孔２６にネジ部材９０を挿入し、該ネジ部材９０をデザインパネル１４の締結用穴部５７に螺合する。なお、締結用穴部５７には、予め雌ネジを形成してもよいし、雌ネジを形成せず、ネジ部材９０にタッピングネジを採用してもよい。これにより、前扉本体６、照明装置１３及びデザインパネル１４が締結部２４，３８，５６で共締めされ、照明装置１３及びデザインパネル１４が装着凹部１２に固定される。なお、図１に示すように、装着凹部１２の各締結部２４は、スロットマシン１の完成状態で前扉３の背面側に露出するよう構成されており、前扉３を開放しさえすれば、他の部品を取り外すことなく、ネジ部材９０を回転させ得るよう構成されている。
【００５２】
また、本実施例では、照明装置１３及びデザインパネル１４を装着凹部１２に固定し、さらに、前扉本体６の前面下部に受皿部材１５を装着した後に、図２０に示すように、デザインパネル１４の下端にパネルカバー７０を装着する。このパネルカバー７０は、不正や悪戯目的でデザインパネル１４の下縁から針金等を挿入されないように、デザインパネル１４や受皿部材１５を前扉本体６に押し付けて密着させるためのものである。詳述すると、パネルカバー７０は、図２１に示すように、横長の樹脂片の背面側に、先端にネジ穴７２が形成された締結ボス７１，７１を設けてなり、図２０，２２に示すように、デザインパネル１４の押さえ片５８に前方から当接するように前扉３に装着される。かかる装着状態にあって、パネルカバー７０の締結ボス７１，７１は、図２３に示すように、受皿部材１５の上端に形成された切欠状のボス挿通溝７５を貫通し、前扉本体６に形成されたボス穴７６（図２０参照）に内嵌しており、パネルカバー７０は、該締結ボス７１において前扉本体６に螺着される。このように、本実施例では、パネルカバー７０を前扉本体６に螺着することで、デザインパネル１４の押さえ片５８及び受皿部材１５の上端部を前扉本体６に押さえ付け、これにより、デザインパネル１４の下縁から異物を挿入されるのを防止している。
【００５３】
以上のように、本実施例にあっては、照明装置１３及びデザインパネル１４を前扉本体６と共締めしているため、従来構成に比べて、照明装置１３及びデザインパネル１４を前扉本体６にネジ止めするためのネジ部材の本数を削減できるという利点がある。また、従来構成では、照明装置の装着→照明装置のネジ止め→デザインパネルの装着→デザインパネルのネジ止め、の順番で作業を行っていたため、デザインパネルの装着時に電動ドライバーを一旦放して、デザインパネルのネジ止め時に握り直す必要があったが、本実施例にあっては、照明装置の装着→デザインパネルの装着→照明装置及びデザインパネルのネジ止め、の順番で作業を行うため、電動ドライバーを握り直す必要がなく、また、ネジの本数が少ない分、ネジ止めの作業回数も少なくて済むため、従来構成に比べて、照明装置１３及びデザインパネル１４の取付作業を簡素化できるという利点がある。
【００５４】
また、本実施例では、照明装置１３を装着凹部１２に装着する際に、照明装置１３を装着凹部１２内に位置決めし、共締めするまで当該位置に仮止めでき、また、デザインパネル１４を装着する際には、装着凹部１２を閉塞する位置にデザインパネル１４を位置決めし、共締めするまで当該位置に保持できるため、照明装置１３及びデザインパネル１４の装着から共締めまでを、迅速かつ容易に行うことができるという利点がある。
【００５５】
具体的には、照明装置１３を装着凹部１２に取り付ける際には、装着凹部１２の位置決め用凸部２５と、照明装置１３の位置決め用凹部４２とを嵌合させることにより、照明装置１３を共締めする位置に容易に位置決めできる。
【００５６】
特に、位置決め用凸部２５と位置決め用凹部４２は、装着凹部１２と照明装置１３の締結部２４，３８に夫々形成されているため、本体側締結用貫通孔２６と照明側締結用貫通孔４１が前後に重なり合う位置に、照明装置１３を正確に位置決めできるという利点がある。
【００５７】
また、装着凹部１２に装着した照明装置１３は、装着凹部１２の係合孔２７と照明装置１３の係合爪４４との係合によって、共締めするまで当該位置に仮止めできるから、デザインパネル１４を装着する際などに、照明装置１３が不適切な位置に動いてしまうことがない。
【００５８】
また、デザインパネル１４を装着凹部１２に装着する際には、デザインパネル１４の外枠部５２の側板５２ａと、装着凹部１２の前側壁部２３ｂとを内外に当接させることにより、デザインパネル１４を適切な位置に位置決めすることができる。また、デザインパネル１４のボス部（締結部）５６を、照明装置１３のボス嵌合穴４３に内嵌させることによっても、デザインパネル１４を適切な位置に位置決めできる。このように、本実施例では、側板５２ａと前側壁部２３ｂの当接と、ボス部５６とボス嵌合穴４３の嵌合の双方によってデザインパネル１４を位置決めできるため、高い位置決め精度を実現できるという利点がある。
【００５９】
特に、デザインパネル１４の装着時に、ボス部５６とボス嵌合穴４３がデザインパネル１４の背面側に隠れて視認し難いのに対し、側板５２ａと前側壁部２３ｂはデザインパネル１４の背面側に隠れることなく、前面側から容易に視認できるため、デザインパネル１４を装着する際は、側板５２ａと前側壁部２３ｂとを目視しながら当接させることで、デザインパネル１４を容易に位置決めできるという利点がある。
【００６０】
一方で、ボス部５６とボス嵌合穴４３は、デザインパネル１４と照明装置１３の締結部を夫々構成するものであるため、デザインパネル１４の装着時に視認し難いものの、ボス部５６とボス嵌合穴４３の嵌合によって、締結用穴部５７が照明側締結用貫通孔４１と重なるように、デザインパネル１４を正確に位置決めできるという利点がある。
【００６１】
特に、本実施例では、デザインパネル１４のボス部（締結部）５６を、照明装置１３と嵌合する位置決め手段（パネル−照明嵌合部）として用いているため、デザインパネル１４側に、照明装置１３と嵌合する位置決め手段を独立して設ける必要がないという利点がある。また、デザインパネル１４の締結部をボス部５６によって構成することで、ボス部５６が突出している分だけ、背面側から締結するネジ部材９０の長さを短くでき、共締めの作業性を向上できるという利点もある。また、共締めに用いるネジ部材９０を短くすれば、他の箇所の締結に用いられる通常のネジ部材との共通化を図ることも可能となる。
【００６２】
また、デザインパネル１４の装着状態にあっては、デザインパネル１４の突出部５４と、装着凹部１２の嵌入部２９とが嵌合することで、デザインパネル１４が装着凹部１２に対して保持されるため、共締めするまでデザインパネル１４を装着した位置に留めておくことができる。特に、突出部５４及び嵌入部２９は、デザインパネル１４と装着凹部１２の隅に形成されるため、デザインパネル１４の装着時に目視確認しながら両者を容易に嵌合させることができる。また、突出部５４は、デザインパネル１４の意匠として機能するから、デザインパネル１４の意匠性と、取付作業の簡易化とを同時に実現できるという利点もある。
【００６３】
また、本実施例では、前扉本体６、照明装置１３及びデザインパネル１４を、前扉本体６の背面側からネジ部材９０によって共締めしているため、前扉３を開放しない限りネジ部材９０を緩めることができず、遊技者によってデザインパネル１４が取り外されるのを防止できる。なお、かかる構成では、前扉背面側でのネジ止め作業は、前扉前面側で行うのに比べて作業性に劣るが、照明装置１３やデザインパネル１４の装着は、比較的作業性のよい前扉前面側で行うことができ、また、装着した照明装置１３やデザインパネル１４は、共締めするまで当該位置に留めておくことができるため、前扉背面側でのネジ止め作業が煩雑となることはない。
【００６４】
また、本実施例では、照明装置１３の発光板３２を、デザインパネル１４のデザイン部５１の略全体と前後に重なるように配設し、さらに、発光板３２とデザイン部５１の外周部近傍に締結部３８，５６を設け、照射光が該締結部３８，５６で遮られないようにしているため、デザインパネル１４のデザイン部５１を背面側から均一に照らし、デザイン部５１の意匠を斑なく、均一に光らせることができる。特に、本実施例では、デザインパネル１４の上部両隅に配設されたボス部（締結部）５６を外側に突き出た突出部５４に形成することで、該ボス部５６を可及的外側に配置しているため、発光板３２からの照明光がボス部５６で反射・干渉し難いという利点がある。
【００６５】
以上に、本発明の実施例を説明したが、本発明のスロットマシンは、上記実施例の形態に限らず本発明の要旨を逸脱しない範囲内において種々変更を加えることができる。
【００６６】
例えば、上記実施例では、図２４（ａ）に示すように、デザインパネル１４のボス部５６と、照明装置１３のボス嵌合穴４３との間に遊びを設け、両者を遊嵌させるようにしているが、図２４（ｂ）に示すように、ボス部５６とボス嵌合穴４３ａが密嵌するように構成してもよい。かかる構成によれば、ボス部５６とボス嵌合穴４３ａの嵌合によって、照明装置１３を介してデザインパネル１４を装着凹部１２に保持することが可能となる。
【００６７】
同様に、上記実施例では、図２４（ａ）に示すように、装着凹部１２の位置決め用凸部２５と、照明装置１３の位置決め用凹部４２との間にも遊びを設け、両者を遊嵌させるようにしているが、図２４（ｂ）に示すように、位置決め用凸部２５ａと位置決め用凹部４２とが密嵌するように構成してもよい。かかる構成とすれば、位置決め用凸部２５ａと位置決め用凹部４２の嵌合によって、照明装置１３を装着凹部１２に仮止め可能となるため、上記実施例における係合孔２７と係合爪４４のような、独立した照明仮固定手段を省略可能となる。
【００６８】
また、上記実施例では、装着凹部１２、照明装置１３及びデザインパネル１４の四隅に設けられた締結部２４，３８，５６において共締めしているが、本発明に係る締結部の数や位置はこれに限定されたものでなく、適宜設定可能である。また、上記実施例では、前扉本体６と照明装置１３とデザインパネル１４のみを共締めしているが、本発明にあっては、前扉本体と照明装置とデザインパネルと同時に、その他の部材を共締めすることもできる。
【００６９】
また、上記実施例では、本発明に係る照明側パネル位置決め手段（パネル−照明嵌合部）を、照明装置１３とデザインパネル１４の締結部２４，３８に配設しているが、本発明に係る照明側パネル位置決め手段は、締結部以外の場所に配設してもかまわない。
【符号の説明】
【００７０】
１  スロットマシン
２  筐体
３  前扉
４  リール
５  ヒンジ部材
６  前扉本体
７  開口部
８  上部パネルユニット
１０  視認窓
１１  操作部
１２  装着凹部
１３  照明装置
１４  デザインパネル
１５  受皿部材
１７  演出用ランプ
１８  メダルセレクタ
１９  スピーカ
２０  膨隆部
２１  底壁部
２２  内周壁部
２３  側壁部
２３ａ  後側壁部
２３ｂ  前側壁部
２４  締結部
２５，２５ａ  位置決め用凸部
２６  本体側締結用貫通孔
２７  係合孔
２８  配線用開口部
２９  嵌入部
３０  つまみ片挿入穴
３１  ベース部材
３２  発光板
３３  ＬＥＤ基板
３４  ＬＥＤ
３５  ＬＥＤ用開口部
３６  反射凹部
３７  コネクタ
３８  締結部
３９  光透過孔
４０  膨出部
４１  照明側締結用貫通孔
４２  位置決め用凹部
４３，４３ａ  ボス嵌合穴
４４  係合爪
４５  透光溝
５１  デザイン部
５２  外枠部
５２ａ  側板
５４  突出部
５６  締結部（ボス部）
５７  締結用穴部
５８  押さえ片
５９  デザインシート
６０  カバー体
６１  ベース体
６２ａ，６２ｂ  正面板部
６３ａ，６３ｂ  外周板部
６４  係止孔
６５  係止凹部
６６  係止突片
６７  係止爪
６８  つまみ片
７０  パネルカバー
７１  締結ボス
７２  ネジ穴
７５  ボス挿通溝
７６  ボス穴
９０  ネジ部材
【図１】
0005561878.tif 000002
【図２】
0005561878.tif 000003
【図３】
0005561878.tif 000004
【図４】
0005561878.tif 000005
【図５】
0005561878.tif 000006
【図６】
0005561878.tif 000007
【図７】
0005561878.tif 000008
【図８】
0005561878.tif 000009
【図９】
0005561878.tif 000010
【図１０】
0005561878.tif 000011
【図１１】
0005561878.tif 000012
【図１２】
0005561878.tif 000013
【図１３】
0005561878.tif 000014
【図１４】
0005561878.tif 000015
【図１５】
0005561878.tif 000016
【図１６】
0005561878.tif 000017
【図１７】
0005561878.tif 000018
【図１８】
0005561878.tif 000019
【図１９】
0005561878.tif 000020
【図２０】
0005561878.tif 000021
【図２１】
0005561878.tif 000022
【図２２】
0005561878.tif 000023
【図２３】
0005561878.tif 000024
【図２４】
0005561878.tif 000025